(57)【要約】      （修正有）【課題】脱落する恐れがなく、美観と耐久性を有する静電フィルムの粘着性ハンガーを提供する。【解決手段】静電フィルムの粘着性ハンガーは、静電フィルム層１００と、透明保護層２００と、静電フィルム層１００と透明保護層２００との間に粘着され、透明保護層２００に向かう一面にパターンが設けられる印刷層３００と、透明保護層の外面に粘着されるハンガー本体ユニット４００と、を備える。【選択図】図３
0003182557.tif 000002
【実用新案登録請求の範囲】
【請求項１】
反対側にある内面と外面を有する静電フィルム層と、
反対側にある内面と外面を有する透明保護層と、
前記静電フィルム層の内面と前記透明保護層の内面との間に粘着され、前記透明保護層に向かう一面にパターンが設けられる印刷層と、
前記透明保護層の外面に粘着されるハンガー本体ユニットと、
を備える静電フィルムの粘着性ハンガー。
【請求項２】
前記ハンガー本体ユニットは、前記透明保護層の外面に粘着されるベースと、前記ベースに設けられるハンガー本体と、を含む請求項１に記載の静電フィルムの粘着性ハンガー。
【請求項３】
前記ハンガー本体は、フックである請求項２に記載の静電フィルムの粘着性ハンガー。
【請求項４】
前記ハンガー本体と前記ベースは、一体であり、且つ前記ハンガー本体は、ネック部及び前記ネック部の外端部にある位置限定凸環を含むハンガーノブである請求項２に記載の静電フィルムの粘着性ハンガー。
【請求項５】
前記位置限定凸環は、テーパー状の外周面を有する請求項４に記載の静電フィルムの粘着性ハンガー。
【請求項６】
前記位置限定凸環の外端面には、ボンディング溝が設けられる請求項５に記載の静電フィルムの粘着性ハンガー。
【請求項７】
前記ネック部には、少なくとも１つの貫通孔が貫設される請求項４に記載の静電フィルムの粘着性ハンガー。
【考案の詳細な説明】
【技術分野】
【０００１】
本考案は、粘着性ハンガーに関し、特に、静電フィルムの粘着ハンガーに関する。
【背景技術】
【０００２】
一般的に、物を掛けるために、壁面（例えば、客間、ダイニングルーム、台所、浴室の壁面）にハンガーを裝設して、物を掛け、または載置することに用いる。
【０００３】
伝統的なハンガーの固定方式としては、スチールネイルによる釘付ける方式によって、ハンガーを壁面に釘付ける。しかしながら、このような釘付ける方式は、壁面を破壊する。また、ハンガーを取り外す時に、壁面に跡が残ったりして、破壊性を有するという欠点がある。
【０００４】
また、吸盤式の固定方式があり、その方式としては、吸盤によって、真空吸着方式でハンガーを壁面に吸着する。しかしながら、その吸盤は、長い間に使用された後で、物理的な回復の作用や湿り気を受けたことなどの多種な要因によって、吸盤が壁面から脱落する可能性がある。使用上の耐久性が不足であるため、相対的にハンガーの使用寿命が低下する。
【０００５】
また、接着式の固定方式があり、その方式としては、接着剤を使ってハンガーを壁面に粘着する。しかしながら、長い間に使用された後で、接着剤が硬化や黴が生えることなどの多種な要因によって、その接着性がだんだんと悪くなるとともに、ハンガーが壁面から脱落する可能性がある。従って、その使用上の耐久性も不足であるため、相対的にハンガーの使用寿命が低下する。
【０００６】
上記の理由で、従来のハンガーの適用性がよくない。
【考案の概要】
【考案が解決しようとする課題】
【０００７】
上記の従来のハンガーの欠点を解決するために、本考案は、堅固性及び美観性を有する静電フィルムの粘着性ハンガーを提供することを目的とする。
【課題を解決するための手段】
【０００８】
上記の目的によると、本考案の一実施態様は、反対側にある内面と外面を有する静電フィルム層と、反対側にある内面と外面を有する透明保護層と、静電フィルム層の内面と透明保護層の内面との間に粘着され、透明保護層に向かう一面にパターンが設けられる印刷層と、透明保護層の外面に粘着されるハンガー本体ユニットと、を備える静電フィルムの粘着性ハンガーを提供する。静電フィルム層の静電気の吸着作用によって、静電フィルムの粘着性ハンガー全体を壁面にしっかりと吸着させることができ、脱落する恐れがない。印刷層によって、静電フィルムの粘着性ハンガーに視覚上の美観性を持たせる。さらに、透明保護層によって、印刷層に明晰な透明性を持たせ、破損されないように印刷層を保護する。
【０００９】
本考案の一実施例によると、ハンガー本体ユニットは、ベースと、ハンガー本体と、を含む。ベースは、透明保護層の外面に粘着される。ハンガー本体は、ベースに設けられて、物に掛けられ、または載置されることに用いる。
【００１０】
本考案の他の一実施例によると、ハンガー本体はフックであり、掛けられる物に設けられるハンガーリングを吊るすことに用いる。
【００１１】
本考案のまた他の一実施例によると、ハンガー本体とベースは、一体であり、且つハンガー本体は、ハンガーノブである。前記ハンガーノブは、ネック部及び前記ネック部の外端部にある位置限定凸環を有する。前記ハンガーノブは、掛けられる物に設けられるハンガーホールを吊るすことに用い、掛けられる物が外側に移動して脱落してしまわないように位置限定凸環で制限する。
【００１２】
本考案の別の一実施例によると、位置限定凸環は、テーパー状の外周面を有し、ハンガーノブを掛けられる物のハンガーホールにガイディングするために便利である。
【００１３】
本考案のまた別の一実施例によると、位置限定凸環の外端面にボンディング溝が設けられる。物が吊るされた後で、前記ボンディング溝に飾り物をボンディングして、遮蔽及び美化の作用を発揮する。
【００１４】
本考案の一実施例によると、ネック部に、少なくとも１つの貫通孔が貫設される。ハンガー部材が前記貫通孔に貫通して設けられて、掛けられる物を吊るすことに用いる。
【００１５】
下記図面の説明は、本考案の前記または他の目的、特徴、メリット、実施例をより分かりやすくするためのものである。
【図面の簡単な説明】
【００１６】
【図１】本考案の第１実施例による静電フィルムの粘着性ハンガーを示す外形図である。
【図２】図１に示した静電フィルムの粘着性ハンガーの中のＡ部を示す拡大図である。
【図３】図１に示した静電フィルムの粘着性ハンガーを示す分解図である。
【図４】図１に示した静電フィルムの粘着性ハンガーを示した断面図であり、そして、その使用における略図を表示する。
【図５】本考案の第２実施例による静電フィルムの粘着性ハンガーを示す外形図である。
【図６】図５に示した静電フィルムの粘着性ハンガーの中のハンガー本体ユニットを示す拡大図である。
【図７】本考案の第３実施例による静電フィルムの粘着性ハンガーを示す外形図である。
【考案を実施するための形態】
【００１７】
本考案の上記及び他の技術内容、特徴と効果は、以下、参照図面に示した実施例に合わせた詳細な説明において、明らかになる。
【００１８】
図１〜図４は、それぞれ本考案の第１実施例による静電フィルムの粘着性ハンガーを示す外形図、部分拡大図、分解図、断面図であり、また、使用における略図を表示する。これらの図面に示すように、本考案の第１実施例の静電フィルムの粘着性ハンガーは、静電フィルム層１００と、透明保護層２００と、印刷層３００と、ハンガー本体ユニット４００と、を備える。
【００１９】
静電フィルム層１００は、静電気の吸着作用を持っている。この静電フィルム層１００は、反対側にある内面１１０と外面１２０を有する。
【００２０】
透明保護層２００は、良好の透視性及び靭性を持っている。この透明保護層２００は、反対側にある内面２１０と外面２２０を有する。
【００２１】
印刷層３００は、静電フィルム層１００の内面１１０と透明保護層２００の内面２１０との間に粘着される。パターン３１０が印刷層３００における透明保護層２００に向かう側に設けられることで、静電フィルムの粘着性ハンガー全体に視覚上の美観性を持たせる。また、透明保護層２００は、破損されないように印刷層３００を保護することに用いることができる。
【００２２】
ハンガー本体ユニット４０は、ベース４１０とハンガー本体４２０を有する。ハンガー本体ユニット４００は、そのベース４１０を介して透明保護層２００の外面２２０に粘着され、ハンガー本体４２０はベース４１０に設けられる。ハンガー本体４２０は、物に掛けられ、または載置されることに用いるいかなる部品であってよい、例えば、フック、ハンガーフレーム、ハンガーノブ等である。第１実施例において、ハンガー本体４２０はフック４２１として示され、ベース４１０に装設される。このフック４２１は掛けられる物に設けられるハンガーリング（図示せず）を吊るすことに用いる。
【００２３】
図５及び図６は、それぞれ本考案の第２実施例による静電フィルムの粘着性ハンガーの外形図及び部分拡大図を示す。第２実施例に示した静電フィルムの粘着性ハンガーは、上記第１実施例に示した構造と類似する構造を有する。その差異としては、第２実施例において、ハンガー本体４２０とベース４１０が一体であり、且つハンガー本体４２０がハンガーノブ４２２である。このハンガーノブが、ネック部４２３及びこのネック部の外端部にある位置限定凸環４２４を有する。ハンガーノブ４２２及びそのネック部４２３は、掛けられる物に設けられるハンガーホール（図示せず）を吊るすことに用い、掛けられる物が外側に移動して脱落してしまわないように位置限定凸環４２４で制限する。
【００２４】
ハンガーノブ４２２の位置限定凸環４２４は、テーパー状の外周面４２５を有し、ハンガーノブ４２２を掛けられる物のハンガーホールにガイディングできる。さらに、位置限定凸環４２４の外端面４２６にボンディング溝４２７が設けられる。物が吊るされた後で、ボンディング溝４２７に飾り物（図示せず）をボンディングして、遮蔽及び美化の作用を発揮することに用いる。
【００２５】
図７は、本考案の第３実施例による静電フィルムの粘着性ハンガーの外形図を示す。ハンガーノブ４２２のネック部４２３に２つの貫通孔４２８が貫設され、ハンガー部材４２９が貫通孔を貫通して設けられる。このハンガー部材４２９は、第１実施例に示したように、掛けられる物を吊るすことに用いる。
【００２６】
本考案の一実施形態による静電フィルムの粘着性ハンガーを付着して使用する時に、その静電フィルム層１００の外面１２０をもって壁面５００に付着される。その静電フィルム層１００の静電気の吸着作用によって、静電フィルムの粘着性ハンガー全体を壁面５００にしっかりと吸着させることができ、物理的な回復の作用、湿り気を受けたこと、黴が生えることや接着剤が硬化のことなどの多種な要因によって脱落する恐れがなく、一貫して安定な吸着力を維持する。なお、その印刷層３００によって、静電フィルムの粘着性ハンガーに視覚上の美観性を持たせる。且つその透明保護層２００によって、明晰な透視性を持たさせ、破損されないように印刷層３００を保護する。さらに、ハンガーあるいはハンガーノブによって、掛けられる物を吊るすことに用い、その全体の使用効果を向上させる。上記によって、本考案の創造目的を実現した。
【００２７】
本考案では好適な実施形態を前述の通り開示したが、これは本考案を限定するものではなく、当業者であれば、本考案の精神と領域から逸脱しない限り、多様の変動や修正を加えることができる。従って、本考案の保護範囲は、実用新案登録請求の範囲で指定した内容を基準とする。
【符号の説明】
【００２８】
１００  静電フィルム層
１１０  内面
１２０  外面
２００  透明保護層
２１０  内面
２２０  外面
３００  印刷層
３１０  パターン
４００  ハンガー本体ユニット
４１０  ベース
４２０  ハンガー本体
４２１  フック
４２２  ハンガーノブ
４２３  ネック部
４２４  位置限定凸環
４２５  外周面
４２６  外端面
４２７  ボンディング溝
４２８  貫通孔
４２９  ハンガー部材
５００  壁面
【図１】
0003182557.tif 000003
【図２】
0003182557.tif 000004
【図３】
0003182557.tif 000005
【図４】
0003182557.tif 000006
【図５】
0003182557.tif 000007
【図６】
0003182557.tif 000008
【図７】
0003182557.tif 000009